(57)【要約】無線通信システムにおける加入者データ最適化のためのデバイスおよび方法が提供される。１つの実施形態では、この方法は、モバイル・エンティティから更新位置要求を受信することと、加入者データ・リポジトリへ更新位置要求を転送することとを含みうる。この方法は、加入者データ・リポジトリからプロファイル識別子を受信することを含みうる。プロファイル識別子は、モバイル・エンティティの加入者サービスのプロファイル・パラメータに対応する。この方法はまた、プロファイル識別子に関連付けられたプロファイル・パラメータを決定するためにルックアップ・テーブルにアクセスすることと、プロファイル・パラメータに少なくとも部分的に基づいて、加入者サービスを許可するか否かを判定することとを含みうる。
2013536607.tif 000002
【特許請求の範囲】
【請求項１】
無線通信システムにおけるインフラストラクチャ・エンティティによって実施可能な方法であって、
モバイル・エンティティから登録要求を受信することと、ここで、更新位置要求は、モバイル・エンティティ・アイデンティティを備える、
加入者データ・リポジトリへ更新位置要求を送信することと、
前記加入者データ・リポジトリからプロファイル識別子を受信することと、ここで、前記プロファイル識別子は、前記モバイル・エンティティの加入者サービスのプロファイル・パラメータに対応する、
前記プロファイル識別子に関連付けられたプロファイル・パラメータを決定するために、ルックアップ・テーブルにアクセスすることと、
を備える方法。
【請求項２】
前記ルックアップ・テーブル内のプロファイル識別子に関連付けられたどのプロファイル・パラメータも発見されないことに応じて、前記加入者データ・リポジトリから前記プロファイル・パラメータを要求すること、をさらに備える請求項１に記載の方法。
【請求項３】
前記加入者データ・リポジトリから前記プロファイル・パラメータを受信すること、をさらに備える請求項２に記載の方法。
【請求項４】
前記加入者データ・リポジトリは、ホーム・ロケーション・レジスタ（ＨＬＲ）およびホーム加入者サーバ（ＨＳＳ）のうちの１つを備える、請求項１に記載の方法。
【請求項５】
前記プロファイル・パラメータに少なくとも部分的に基づいて、前記加入者サービスを許可するか否かを判定すること、をさらに備える請求項１に記載の方法。
【請求項６】
請求項１に記載の方法を実行するように構成された電子デバイス。
【請求項７】
無線通信システムにおいて動作可能な装置であって、
モバイル・エンティティから登録要求を受信する手段と、ここで、更新位置要求は、モバイル・エンティティ・アイデンティティを備える、
加入者データ・リポジトリへ更新位置要求を送信する手段と、
前記加入者データ・リポジトリからプロファイル識別子を受信する手段と、ここで、前記プロファイル識別子は、前記モバイル・エンティティの加入者サービスのプロファイル・パラメータに対応する、
前記プロファイル識別子に関連付けられたプロファイル・パラメータを決定するために、ルックアップ・テーブルにアクセスする手段と、
を備える装置。
【請求項８】
前記ルックアップ・テーブル内のプロファイル識別子に関連付けられたどのプロファイル・パラメータも発見されないことに応じて、前記加入者データ・リポジトリから前記プロファイル・パラメータを要求する手段、をさらに備える請求項７に記載の装置。
【請求項９】
前記加入者データ・リポジトリから前記プロファイル・パラメータを受信する手段、をさらに備える請求項８に記載の装置。
【請求項１０】
前記加入者データ・リポジトリは、ホーム・ロケーション・レジスタ（ＨＬＲ）およびホーム加入者サーバ（ＨＳＳ）のうちの１つを備える、請求項７に記載の装置。
【請求項１１】
前記プロファイル・パラメータに少なくとも部分的に基づいて、前記加入者サービスを許可するか否かを判定する手段、をさらに備える請求項７に記載の装置。
【請求項１２】
無線通信システムにおいて動作可能な装置であって、
モバイル・エンティティから登録要求を受信し、ここで、前記登録要求は、モバイル・エンティティ・アイデンティティを備える、
加入者データ・リポジトリへ更新位置要求を送信し、
前記加入者データ・リポジトリからプロファイル識別子を受信し、ここで、前記プロファイル識別子は、前記モバイル・エンティティの加入者サービスのプロファイル・パラメータに対応する、
前記プロファイル識別子に関連付けられたプロファイル・パラメータを決定するためにルックアップ・テーブルにアクセスする、
ように構成された少なくとも１つのプロセッサと、
前記少なくとも１つのプロセッサに接続されたメモリと、
を備える装置。
【請求項１３】
前記少なくとも１つのプロセッサはさらに、前記ルックアップ・テーブル内のプロファイル識別子に関連付けられたどのプロファイル・パラメータも発見されないことに応じて、前記加入者データ・リポジトリから前記プロファイル・パラメータを要求するように構成された、請求項１２に記載の装置。
【請求項１４】
前記少なくとも１つのプロセッサはさらに、前記加入者データ・リポジトリから前記プロファイル・パラメータを受信するように構成された、請求項１３に記載の装置。
【請求項１５】
前記加入者データ・リポジトリは、ホーム・ロケーション・レジスタ（ＨＬＲ）およびホーム加入者サーバ（ＨＳＳ）のうちの１つを備える、請求項１２に記載の装置。
【請求項１６】
前記少なくとも１つのプロセッサはさらに、前記プロファイル・パラメータに少なくとも部分的に基づいて、前記加入者サービスを許可するか否かを判定するように構成された、請求項１２に記載の装置。
【請求項１７】
コンピュータ・プログラム製品であって、
モバイル・エンティティから登録要求を受信することと、ここで、更新位置要求は、モバイル・エンティティ・アイデンティティを備える、
加入者データ・リポジトリへ更新位置要求を送信することと、
前記加入者データ・リポジトリからプロファイル識別子を受信することと、ここで、前記プロファイル識別子は、前記モバイル・エンティティの加入者サービスのプロファイル・パラメータに対応する、
前記プロファイル識別子に関連付けられたプロファイル・パラメータを決定するために、ルックアップ・テーブルにアクセスすることと、
をコンピュータに対して実行させるためのコードを備えたコンピュータ読取可能な媒体を備える、コンピュータ・プログラム製品。
【請求項１８】
前記加入者データ・リポジトリは、ホーム・ロケーション・レジスタ（ＨＬＲ）およびホーム加入者サーバ（ＨＳＳ）のうちの１つを備える、請求項１７に記載のコンピュータ・プログラム製品。
【請求項１９】
無線通信システムにおけるインフラストラクチャ・エンティティによって実施可能な方法であって、
モバイル・エンティティから登録要求を受信することと、前記登録要求は、前記モバイル・エンティティの加入者データのプロファイル・パラメータに対応するプロファイル識別子を備える、
前記プロファイル識別子に関連付けられたプロファイル・パラメータを決定するために、ルックアップ・テーブルにアクセスすることと、
を備える方法。
【請求項２０】
前記登録要求はさらに、モバイル・エンティティ・アイデンティティを備える、請求項１９に記載の方法。
【請求項２１】
加入者データ・リポジトリへ更新位置要求を送信することと、
前記加入者データ・リポジトリから加入者データを受信することと、
をさらに備える請求項１９に記載の方法。
【請求項２２】
前記ルックアップ・テーブル内のプロファイル識別子に関連付けられたどのプロファイル・パラメータも発見されないことに応じて、前記加入者データ・リポジトリから前記プロファイル・パラメータを要求すること、をさらに備える請求項１９に記載の方法。
【請求項２３】
前記加入者データ・リポジトリから前記プロファイル・パラメータを受信すること、をさらに備える請求項２２に記載の方法。
【請求項２４】
前記加入者データ・リポジトリは、ホーム・ロケーション・レジスタ（ＨＬＲ）およびホーム加入者サーバ（ＨＳＳ）のうちの１つを備える、請求項１９に記載の方法。
【請求項２５】
前記プロファイル・パラメータに少なくとも部分的に基づいて、前記加入者サービスを許可するか否かを判定すること、をさらに備える請求項１９に記載の方法。
【請求項２６】
請求項１９に記載の方法を実行するように構成された電子デバイス。
【請求項２７】
無線通信システムにおいて動作可能な装置であって、
モバイル・エンティティから登録要求を受信する手段と、ここで、前記登録要求は、前記モバイル・エンティティの加入者サービスのプロファイル・パラメータに対応するプロファイル識別子を備える、
前記プロファイル識別子に関連付けられたプロファイル・パラメータを決定するために、ルックアップ・テーブルにアクセスする手段と、
を備える装置。
【請求項２８】
前記登録要求はさらに、モバイル・エンティティ・アイデンティティを備える、請求項２７に記載の装置。
【請求項２９】
加入者データ・リポジトリへ更新位置要求を送信する手段と、
前記加入者データ・リポジトリから加入者データを受信する手段と、
をさらに備える請求項２７に記載の装置。
【請求項３０】
前記ルックアップ・テーブル内のプロファイル識別子に関連付けられたどのプロファイル・パラメータも発見されないことに応じて、前記加入者データ・リポジトリから前記プロファイル・パラメータを要求する手段、をさらに備える請求項２７に記載の装置。
【請求項３１】
前記加入者データ・リポジトリから前記プロファイル・パラメータを受信する手段、をさらに備える請求項３０に記載の装置。
【請求項３２】
前記加入者データ・リポジトリは、ホーム・ロケーション・レジスタ（ＨＬＲ）およびホーム加入者サーバ（ＨＳＳ）のうちの１つを備える、請求項２７に記載の装置。
【請求項３３】
前記プロファイル・パラメータに少なくとも部分的に基づいて、前記加入者サービスを許可するか否かを判定する手段、をさらに備える請求項２７に記載の装置。
【請求項３４】
無線通信システムにおいて動作可能な装置であって、
モバイル・エンティティから登録要求を受信し、ここで、前記登録要求は、前記モバイル・エンティティの加入者サービスのプロファイル・パラメータに対応するプロファイル識別子を備える、
前記プロファイル識別子に関連付けられたプロファイル・パラメータを決定するためにルックアップ・テーブルにアクセスする、
ように構成された少なくとも１つのプロセッサと、
前記少なくとも１つのプロセッサに接続されたメモリと、
を備える装置。
【請求項３５】
前記登録要求はさらに、モバイル・エンティティ・アイデンティティを備える、請求項３４に記載の装置。
【請求項３６】
前記少なくとも１つのプロセッサはさらに、
加入者データ・リポジトリへ更新位置要求を送信し、
前記加入者データ・リポジトリから加入者データを受信する、
ように構成された、請求項３４に記載の装置。
【請求項３７】
前記少なくとも１つのプロセッサはさらに、前記ルックアップ・テーブル内のプロファイル識別子に関連付けられたどのプロファイル・パラメータも発見されないことに応じて、前記加入者データ・リポジトリから前記プロファイル・パラメータを要求するように構成された、請求項３４に記載の装置。
【請求項３８】
前記少なくとも１つのプロセッサはさらに、前記加入者データ・リポジトリから前記プロファイル・パラメータを受信するように構成された、請求項３７に記載の装置。
【請求項３９】
前記加入者データ・リポジトリは、ホーム・ロケーション・レジスタ（ＨＬＲ）およびホーム加入者サーバ（ＨＳＳ）のうちの１つを備える、請求項３４に記載の装置。
【請求項４０】
前記少なくとも１つのプロセッサはさらに、前記プロファイル・パラメータに少なくとも部分的に基づいて、前記加入者サービスを許可するか否かを判定するように構成された、請求項３４に記載の装置。
【請求項４１】
コンピュータ・プログラム製品であって、
モバイル・エンティティから登録要求を受信することと、ここで、前記登録要求は、前記モバイル・エンティティの加入者サービスのプロファイル・パラメータに対応するプロファイル識別子を備える、
前記プロファイル識別子に関連付けられたプロファイル・パラメータを決定するために、ルックアップ・テーブルにアクセスすることと、
をコンピュータに対して実行させるためのコードを備えたコンピュータ読取可能な媒体を備える、コンピュータ・プログラム製品。
【請求項４２】
前記登録要求はさらに、モバイル・エンティティ・アイデンティティを備える、請求項４１に記載のコンピュータ・プログラム製品。
【請求項４３】
前記加入者データ・リポジトリは、ホーム・ロケーション・レジスタ（ＨＬＲ）およびホーム加入者サーバ（ＨＳＳ）のうちの１つを備える、請求項４１に記載のコンピュータ・プログラム製品。
【請求項４４】
無線通信システムにおけるモバイル・エンティティによって実施可能な方法であって、
登録要求を、ネットワーク管理エンティティに送信することと、ここで、前記登録要求は、モバイル・エンティティ・アイデンティティと、前記モバイル・エンティティの加入者サービスのプロファイル・パラメータに対応するプロファイル識別子とを備える、
前記プロファイル・パラメータに少なくとも部分的に基づいて、前記ネットワーク管理エンティティから認可メッセージを受信することと、
を備える方法。
【請求項４５】
前記ネットワーク管理エンティティは、サービス提供ＧＰＲＳサポート・ノード（ＳＧＳＮ）、モビリティ管理エンティティ（ＭＭＥ）、モバイル交換局（ＭＳＣ）／ビジタ・ロケーション・レジスタ（ＶＬＲ）、およびサービス提供コール・セッション制御機能（Ｓ−ＣＳＣＦ）、のうちの１つを備える、請求項４４に記載の方法。
【請求項４６】
前記認可メッセージは、前記加入者サービスのための許可または拒否のうちの１つを備える、請求項４４に記載の方法。
【請求項４７】
請求項４４に記載の方法を実行するように構成された電子デバイス。
【請求項４８】
無線通信システムにおいて動作可能な装置であって、
登録要求を、ネットワーク管理エンティティに送信する手段と、ここで、前記登録要求は、モバイル・エンティティ・アイデンティティと、モバイル・エンティティの加入者サービスのプロファイル・パラメータに対応するプロファイル識別子とを備える、
前記プロファイル・パラメータに少なくとも部分的に基づいて、前記ネットワーク管理エンティティから認可メッセージを受信する手段と、
を備える装置。
【請求項４９】
前記ネットワーク管理エンティティは、サービス提供ＧＰＲＳサポート・ノード（ＳＧＳＮ）、モビリティ管理エンティティ（ＭＭＥ）、モバイル交換局（ＭＳＣ）／ビジタ・ロケーション・レジスタ（ＶＬＲ）、およびサービス提供コール・セッション制御機能（Ｓ−ＣＳＣＦ）のうちの１つを備える、請求項４８に記載の装置。
【請求項５０】
前記認可メッセージは、前記加入者サービスのための許可または拒否のうちの１つを備える、請求項４８に記載の装置。
【請求項５１】
無線通信システムにおいて動作可能な装置であって、
登録要求を、ネットワーク管理エンティティに送信する手段と、ここで、前記登録要求は、モバイル・エンティティ・アイデンティティと、モバイル・エンティティの加入者サービスのプロファイル・パラメータに対応するプロファイル識別子とを備える、
前記プロファイル・パラメータに少なくとも部分的に基づいて、前記ネットワーク管理エンティティから認可メッセージを受信する手段と、
のために構成された少なくとも１つのプロセッサと、
前記少なくとも１つのプロセッサに接続されたメモリと、
を備える装置。
【請求項５２】
前記ネットワーク管理エンティティは、サービス提供ＧＰＲＳサポート・ノード（ＳＧＳＮ）、モビリティ管理エンティティ（ＭＭＥ）、モバイル交換局（ＭＳＣ）／ビジタ・ロケーション・レジスタ（ＶＬＲ）、およびサービス提供コール・セッション制御機能（Ｓ−ＣＳＣＦ）、のうちの１つを備える、請求項５１に記載の装置。
【請求項５３】
前記認可メッセージは、前記加入者サービスのための許可または拒否のうちの１つを備える、請求項５１に記載の装置。
【請求項５４】
コンピュータ・プログラム製品であって、
登録要求を、ネットワーク管理エンティティに送信することと、ここで、前記登録要求は、モバイル・エンティティ・アイデンティティと、モバイル・エンティティの加入者サービスのプロファイル・パラメータに対応するプロファイル識別子とを備える、
前記プロファイル・パラメータに少なくとも部分的に基づいて、前記ネットワーク管理エンティティから認可メッセージを受信することと、
をコンピュータに対して実行させるためのコードを備えたコンピュータ読取可能な媒体を備える、コンピュータ・プログラム製品。
【請求項５５】
前記ネットワーク管理エンティティは、サービス提供ＧＰＲＳサポート・ノード（ＳＧＳＮ）、モビリティ管理エンティティ（ＭＭＥ）、モバイル交換局（ＭＳＣ）／ビジタ・ロケーション・レジスタ（ＶＬＲ）、およびサービス提供コール・セッション制御機能（Ｓ−ＣＳＣＦ）のうちの１つを備える、請求項５４に記載のコンピュータ・プログラム製品。
【請求項５６】
前記認可メッセージは、前記加入者サービスのための許可または拒否のうちの１つを備える、請求項５４に記載のコンピュータ・プログラム製品。
【請求項５７】
無線通信システムにおけるインフラストラクチャ・エンティティによって実施可能な方法であって、
ネットワーク管理エンティティから更新位置要求を受信することと、ここで、前記更新位置要求は、加入者識別子を備える、
前記ネットワーク管理エンティティへプロファイル識別子を送信することと、ここで、プロファイル識別子は、モバイル・エンティティの加入者サービスのプロファイル・パラメータに対応する、
を備える方法。
【請求項５８】
前記ネットワーク管理エンティティは、サービス提供ＧＰＲＳサポート・ノード（ＳＧＳＮ）、モビリティ管理エンティティ（ＭＭＥ）、モバイル交換局（ＭＳＣ）／ビジタ・ロケーション・レジスタ（ＶＬＲ）、およびサービス提供コール・セッション制御機能（Ｓ−ＣＳＣＦ）のうちの１つを備える、請求項５７に記載の方法。
【請求項５９】
前記送信することは、前記加入者識別子およびその他のパラメータを前記ネットワーク管理エンティティへ送信することを備える、請求項５７に記載の方法。
【請求項６０】
前記加入者識別子は、国際モバイル加入者アイデンティティ（ＩＭＳＩ）を備える、請求項５７に記載の方法。
【請求項６１】
請求項５７に記載の方法を実行するように構成された電子デバイス。
【請求項６２】
無線通信システムにおいて動作可能な装置であって、
ネットワーク管理エンティティから更新位置要求を受信する手段と、ここで、前記更新位置要求は加入者識別子を備える、
前記ネットワーク管理エンティティへプロファイル識別子を送信する手段と、ここで、前記プロファイル識別子は、モバイル・エンティティの加入者サービスのプロファイル・パラメータに対応する、
を備える装置。
【請求項６３】
前記ネットワーク管理エンティティは、サービス提供ＧＰＲＳサポート・ノード（ＳＧＳＮ）、モビリティ管理エンティティ（ＭＭＥ）、モバイル交換局（ＭＳＣ）／ビジタ・ロケーション・レジスタ（ＶＬＲ）、およびサービス提供コール・セッション制御機能（Ｓ−ＣＳＣＦ）のうちの１つを備える、請求項６２に記載の装置。
【請求項６４】
前記送信する手段はさらに、前記加入者識別子およびその他のパラメータを前記ネットワーク管理エンティティへ送信する手段を備える、請求項６２に記載の装置。
【請求項６５】
無線通信システムにおいて動作可能な装置であって、
ネットワーク管理エンティティから更新位置要求を受信し、ここで、前記更新位置要求は加入者識別子を備える、
前記ネットワーク管理エンティティへプロファイル識別子を送信し、ここで、前記プロファイル識別子は、モバイル・エンティティの加入者サービスのプロファイル・パラメータに対応する、
ように構成された少なくとも１つのプロセッサと、
前記少なくとも１つのプロセッサに接続されたメモリと、
を備える装置。
【請求項６６】
前記ネットワーク管理エンティティは、サービス提供ＧＰＲＳサポート・ノード（ＳＧＳＮ）、モビリティ管理エンティティ（ＭＭＥ）、モバイル交換局（ＭＳＣ）／ビジタ・ロケーション・レジスタ（ＶＬＲ）、およびサービス提供コール・セッション制御機能（Ｓ−ＣＳＣＦ）のうちの１つを備える、請求項６５に記載の装置。
【請求項６７】
前記少なくとも１つのプロセッサはさらに、前記加入者識別子およびその他のパラメータを前記ネットワーク管理エンティティへ送信するように構成された、請求項６５に記載の装置。
【請求項６８】
コンピュータ・プログラム製品であって、
ネットワーク管理エンティティから更新位置要求を受信することと、ここで、前記更新位置要求は加入者識別子を備える、
前記ネットワーク管理エンティティにプロファイル識別子を送信することと、ここで、前記プロファイル識別子は、モバイル・エンティティの加入者サービスのプロファイル・パラメータに対応する、
をコンピュータに対して実行させるためのコードを備えたコンピュータ読取可能な媒体を備える、コンピュータ・プログラム製品。
【請求項６９】
前記ネットワーク管理エンティティは、サービス提供ＧＰＲＳサポート・ノード（ＳＧＳＮ）、モビリティ管理エンティティ（ＭＭＥ）、モバイル交換局（ＭＳＣ）／ビジタ・ロケーション・レジスタ（ＶＬＲ）、およびサービス提供コール・セッション制御機能（Ｓ−ＣＳＣＦ）のうちの１つを備える、請求項６８に記載のコンピュータ・プログラム製品。
【発明の詳細な説明】
【技術分野】
【０００１】
本願は、一般に、無線通信に関し、さらに詳しくは、加入者データ最適化のためのシステムおよび方法に関する。
【背景技術】
【０００２】
無線通信システムは、例えば、音声、データ等のようなさまざまなタイプの通信コンテンツを提供するために広く開発された。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、第３世代パートナシップ計画（３ＧＰＰ）ロング・ターム・イボリューション（ＬＴＥ）システム、および直交周波数分割多元接続（ＯＦＤＭＡ）システムを含む。
【０００３】
一般に、無線多元接続通信システムは、複数の無線端末のための通信を同時にサポートすることができる。端末はおのおのの、順方向リンクおよび逆方向リンクによる送信を介して、１または複数の基地局と通信する。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００４】
無線ネットワーク・オペレータは、一般に、多く（例えば、１００万人）の加入者を有しているが、これら加入者のために、異なる加入者データのセットを、比較的少数しか使用しない。加入者データはしばしば、頻繁に複写されるか、または、加入者間で同一である。無線加入者の数が増加し、各加入者のための加入者データ量も増加するという傾向は、無線ネットワーク内におけるさらなるリソース需要をもたらす可能性が高くなるだろう。したがって、加入者データの記憶および配信を最適化するために、加入者データのグループの重複特性を利用する必要があり、これによって、ネットワーク・リソースのより効率的な利用を達成する。
【発明の概要】
【０００５】
以下は、１または複数の実施形態の基本的な理解を与えるために、このような実施形態の簡略化された概要を示す。この概要は、考えられるすべての実施形態の広範囲な概観ではなく、すべての実施形態の重要要素や決定的要素を特定することも、何れかまたはすべての実施形態の範囲を線引きすることも意図されていない。その唯一の目的は、後述されるより詳細な記載に対する前置きとして、簡略化された形式で１または複数の実施形態のいくつかの概念を表すことである。
【０００６】
１または複数の態様および対応する開示によれば、さまざまな態様が、無線通信ネットワークにおける加入者データ最適化のための方法に関して記載される。この方法は、例えばネットワーク管理エンティティ（例えば、サービス提供ＧＰＲＳサポート・ノード（ＳＧＳＮ）またはモビリティ管理エンティティ（ＭＭＥ）、ここでＧＰＲＳは、ジェネラル・パケット・ラジオ・サービスを意味する）のようなインフラストラクチャ・エンティティにおいて実行されうる。この方法は、モバイル・エンティティから登録要求を受信することを含みうる。登録要求は、接続要求または位置登録要求を備え、また、モバイル・エンティティのアイデンティティを備えうる。関連する態様では、登録要求は、例えば、国際モバイル加入者アイデンティティ（ＩＭＳＩ）、テンポラリ・モバイル加入者アイデンティティ（ＴＭＳＩ）、またはその他のアイデンティティのような加入者アイデンティティを含みうる。モバイル・エンティティ・アイデンティティ（ＭＥ−ＩＤ）という一般的な用語は、モバイル・エンティティとネットワーク管理エンティティとの間で交換されるメッセージにおいて使用されるアイデンティティを称するために使用されうる。
【０００７】
この方法は、例えば、ホーム・ロケーション・レジスタ（ＨＬＲ）またはホーム加入者サーバ（ＨＳＳ）のような加入者データ・リポジトリへ更新位置要求を送信することを含みうる。この方法は、加入者データ・リポジトリから加入者データを受信することを含みうる。加入者データは、モバイル・エンティティの加入者サービスのプロファイル・パラメータに対応するプロファイル識別子等を備えうる。この方法は、プロファイル識別子に関連付けられたプロファイル・パラメータを決定するためにルックアップ・テーブルにアクセスすることを含みうる。本質的には、プロファイル識別子は、加入者データ・ストレージ、配信、および処理における関連付けられたプロファイル・パラメータをリプレースするために使用されうる。関連する態様では、この方法はさらに、プロファイル・パラメータに少なくとも部分的に基づいて、加入者サービスを許可するか否かを判定することを含みうる。さらに関連する態様では、電子デバイスが、前述された方法を実行するように構成されうる。
【０００８】
別の実施形態では、プロファイル識別子は、モバイル・エンティティに格納されうる。そして、モバイル・エンティティからネットワーク管理エンティティへ送信されうる。例えば、この方法は、モバイル・エンティティから登録要求を受信することを含みうる。更新位置要求は、モバイル・エンティティのアイデンティティと、モバイル・エンティティの加入者サービスのプロファイル・パラメータに対応するプロファイル識別子とを備える。プロファイル識別子は、保全性保護され、暗号化されうる。この方法は、加入者データ・リポジトリへ更新位置要求を送ることと、加入者データ・リポジトリから加入者データを受信することとを含みうる。
【０００９】
１または複数の態様および対応する開示によれば、さまざまな態様が、モバイル・エンティティによって実行されうる加入者データ最適化方法に関連して記載される。１つの実施形態では、この方法は、例えば、サービス提供ＧＰＲＳサポート・ノード（ＳＧＳＮ）、モビリティ管理エンティティ（ＭＭＥ）、モバイル交換センタ（ＭＳＣ）／ビジタ・ロケーション・レジスタ（ＶＬＲ）、および、サービス提供コール・セッション制御機能（Ｓ−ＣＳＣＦ）、のうちの１または複数のようなネットワーク管理エンティティへ登録要求を送信することを含みうる。登録要求は、モバイル・エンティティのアイデンティティと、モバイル・エンティティの加入者サービスのプロファイル・パラメータに対応するプロファイル識別子とを含みうる。この方法は、プロファイル・パラメータに少なくとも部分的に基づいて、ネットワーク管理エンティティから認可メッセージを受信することを含みうる。関連する態様では、認可メッセージは、加入者サービスに対する許可または拒否のうちの１つを備えうる。さらに関連する態様では、電子デバイスが、前述された方法を実行するように構成されうる。
【００１０】
１または複数の実施形態および対応する開示によれば、さまざまな態様が、例えば、加入者データ・リポジトリ（例えば、ＨＬＲまたはＨＳＳ）のようなインフラストラクチャ・エンティティによって実行されうる加入者データ最適化方法に関連して記載される。１つの実施形態では、この方法は、（例えば、ＳＧＳＮまたはＭＭＥのような）ネットワーク管理エンティティから更新位置要求を受信することを含みうる。更新位置要求は、例えばＩＭＳＩのような加入者識別子を含みうる。この方法は、ネットワーク管理エンティティへ加入者データを送信することを含みうる。加入者データは、モバイル・エンティティの加入者サービスのプロファイル・パラメータに対応するプロファイル識別子を備える。関連する態様では、加入者データを送信することは、モバイル・エンティティのアイデンティティと、その他のパラメータとをネットワーク管理エンティティへ送信することを含みうる。さらに関連する態様では、電子デバイスが、前述された方法を実行するように構成されうる。
【００１１】
前述した目的および関連する目的を達成するために、１または複数の実施形態は、以下に十分説明され、特に特許請求の範囲で指摘される特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、このような全ての局面およびそれらの均等物を示すことが意図されている。
【図面の簡単な説明】
【００１２】
【図１】図１は、多元接続無線通信システムを例示する。
【図２】図２は、イボルブド・パケット・システム（ＥＰＳ）および汎用パケット・ラジオ・サービス（ＧＰＲＳ）のためのホーム加入者サーバ（ＨＳＳ）データ・ストレージを示すブロック図を提供する。
【図３】図３は、加入者データ最適化のための典型的な技術のためのコール・フロー図を示す。
【図４】図４は、加入者データ最適化のための別の典型的な技術のためのコール・フロー図を示す。
【図５】図５は、例えばネットワーク管理エンティティのようなインフラストラクチャ・エンティティによる加入者データ最適化のための方法の例を例示する。
【図６】図６は、図５の方法のさらなる態様を例示する。
【図７】図７は、典型的な実施形態にしたがうプロファイル・パラメータ決定処理を実行する装置のハードウェア実装の一部の概要図である。
【図８】図８は、例えばネットワーク管理エンティティのようなインフラストラクチャ・エンティティによる加入者データ最適化のための別の方法の例を例示する。
【図９】図９は、図８の方法のさらなる態様を例示する。
【図１０】図１０は、典型的な実施形態にしたがう別のプロファイル・パラメータ決定処理を実行する装置のハードウェア実装の一部の概要図である。
【図１１】図１１は、モバイル・エンティティによる加入者データ最適化のための方法の例を例示する。
【図１２】図１２は、典型的な実施形態にしたがうプロファイル識別子共有処理を実行する装置のハードウェア実装の一部の概要図である。
【図１３】図１３は、例えば加入者データ・リポジトリのようなインフラストラクチャ・エンティティによる加入者データ最適化のための方法の例を例示する。
【図１４】図１４は、典型的な実施形態にしたがう加入者データ共有処理を実行する装置のハードウェア実装の一部の概要図である。
【発明を実施するための形態】
【００１３】
さまざまな実施形態が、全体を通じて同一要素を示すために同一の参照番号が使用される図面を参照して説明される。次の記載では、説明の目的のために、多数の特定の詳細が、１または複数の実施形態についての完全な理解を提供するために記載される。しかしながら、このような実施形態は、これら具体的な詳細無しで実現されうることが明からである。他の事例では、１または複数の実施形態の記載を容易にするために、周知の構成およびデバイスがブロック図形式で示される。
【００１４】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡネットワーク等のようなさまざまな無線通信ネットワークのために使用される。「ネットワーク」および「システム」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実現しうる。ＵＴＲＡは、広帯域ＣＤＭＡ（Ｗ−ＣＤＭＡ）および低チップ・レート（ＬＣＲ）を含む。ｃｄｍａ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ｃｄｍａ２０００は、「第３世代パートナシップ計画２」（３ＧＰＰ２）と命名された組織からの文書に記載されている。これらさまざまなラジオ技術および規格は、当該技術分野において知られている。以下の記載では、簡潔化および明確化の理由のために、国際電気通信連合（ＩＴＵ）によって、３ＧＰＰ規格の下で公布されたように、Ｗ−ＣＤＭＡ規格およびＬＴＥ規格に関連付けられた専門用語が使用される。本発明は、例えば前述した技術および規格のようなその他の技術に適用可能であることが強調されるべきである。
【００１５】
図１に示すように、１つの実施形態にしたがう多元接続無線通信システムが例示される。アクセス・ポイント１００（ＡＰ）（例えば、基地局、イボルブド・ノードＢ（ｅＮＢ）等）は、複数のアンテナ・グループを含んでいる。１つは１０４，１０６を含み、他のものは１０８，１１０を含み、さらに他のものは１１２，１１４を含む。図１では、おのおののアンテナ・グループについて２本のアンテナしか示されていない。しかしながら、おのおののアンテナ・グループについて、それより多くまたはそれより少ないアンテナが利用されうる。例えばアクセス端末（ＡＴ）またはユーザ機器（ＵＥ）１１６のようなモバイル・エンティティは、アンテナ１１２，１１４と通信している。ここで、アンテナ１１２，１１４は、順方向リンク１２０によってＵＥ１１６へ情報を送信し、逆方向リンク１１８によってＵＥ１１６から情報を受信する。ＵＥ１２２は、アンテナ１０６，１０８と通信している。ここで、アンテナ１０６，１０８は、順方向リンク１２６によってＵＥ１２２へ情報を送信し、逆方向リンク１２４によってＵＥ１２２から情報を受信する。ＦＤＤシステムでは、通信リンク１１８，１２０，１２４，１２６は、通信のために、異なる周波数を使用しうる。例えば、順方向リンク１２０は、逆方向リンク１１８によって使用されるものとは異なる周波数を使用しうる。
【００１６】
通信するように設計された領域および／またはアンテナのおのおののグループは、しばしば、アクセス・ポイントのセクタと称される。この実施形態では、おのおののアンテナ・グループは、アクセス・ポイント１００によってカバーされる領域のセクタ内のＵＥへ通信するように設計される。
【００１７】
順方向リンク１２０，１２６による通信では、アクセス・ポイント１００の送信アンテナは、異なるＵＥ１１６，１２４のための順方向リンクの信号対雑音比を改善するために、ビームフォーミングを利用する。さらに、有効範囲領域にわたってランダムに散在するＵＥへ送信するためにビームフォーミングを用いるアクセス・ポイントは、ＵＥのすべてへ単一のアンテナによって送信するアクセス・ポイントよりも、近隣セル内のＵＥに対して少ない干渉しかもたらさない。
【００１８】
アクセス・ポイントは、端末と通信するために使用される固定局であり、アクセス・ポイント、ノードＢ、ｅＮＢ、あるいはその他いくつかの専門用語でも称されうる。モバイル・エンティティは、ＵＥ、無線通信デバイス、端末等とも称されうる。
【００１９】
本明細書に記載された実施形態の１または複数の態様によれば、無線通信における加入者データ最適化のための技術が存在する。前述したように、モバイル・ネットワーク加入者の加入者データ記録は、多くのユーザにとって同一である大量のパラメータを含む。加入者データは、オペレータとの契約に基づいて、加入者の基本サービス設定パラメータを含みうる。加入者データは、例えば３Ｇシステムにおけるホーム・ロケーション・レジスタ（ＨＬＲ）または４Ｇシステムにおけるホーム加入者サーバ（ＨＳＳ）のような加入者データ・リポジトリに維持されうる。加入者データは、図３に示すように、回路交換（ＣＳ）加入者データ、汎用パケット・ラジオ・サービス（ＧＰＲＳ）加入者データ、イボルブド・パケット・システム（ＥＰＳ）加入者データ、および／または、補足サービス加入者データを含みうる。加入者データはまた、加入者のタイプに依存して、マシン・トゥ・マシン（Ｍ２Ｍ）特有の加入者、インターネット・プロトコル・マルチメディア・サブ・システム（ＩＭＳ）加入者等を含みうる。図３に引き続き示すように、ＥＰＳおよびＧＰＲＳのためのＨＳＳデータ・ストレージが示されている。これは、加入者データ要素およびいくつかの動的データ要素を含む。ＨＬＲ／ＨＳＳに含まれるＧＰＲＳ／ＥＰＳ加入者データのタイプの例は、限定される訳ではないが、以下を含みうる。  
【表１−１】
2013536607.tif 000003
【表１−２】
2013536607.tif 000004
【００２０】
ＩＭＳＩは、ＨＬＲ／ＨＳＳにおける加入者データの主要な識別子である。加入者データは、ユーザ・アイデンティティ（例えば、ＩＭＳＩ、ＭＳＩＳＤＮ、ＧＵＴＩ、ＴＭＳＩ、Ｐ−ＴＭＳＩ）、動的データ（例えば、ＳＧＳＮ番号、ＳＧＳＮアドレス、ＭＮＲＧ）、および固定データ（例えば、ＡＰＮ加入者、オペレータによって決定された除外（ＯＤＢ：Operator Determined Barring）を含みうる。固定データは、加入者間で頻繁に複写される。例えば、チャイナ・モバイルは、５億人を超える加入者を有するが、１００種類未満の料金規定しかないと信じられている。同じ料金規定タイプの加入者は、通常同じ固定加入者データを有する。パラメータ数は、各３ＧＰＰリリースで増加するので、加入者毎の加入者データの全体サイズは大きくなる。パケット交換（ＰＳ）サービスが広く用いられ、ＰＳ領域加入者データ配信は著しく増加した。多くのオペレータが、ＨＬＲ／ＨＳＳ過負荷問題に遭遇した。
【００２１】
加入者データ最適化のために提案される技術の基本概念は、プロファイルＩＤまたは識別子を導入することによって、重複特性を利用することである。少数の加入者プロファイルが定義され、各プロファイルは、プロファイル識別子によってユニークに識別される。加入者データ・リポジトリ（例えば、ＨＬＲ／ＨＳＳ）は、固定加入者データ・パラメータ全体を格納するのではなく、プロファイル識別子を格納しうる。本質的には、プロファイル識別子は、加入者データ・ストレージ、配信、および処理において関連付けられたプロファイル・パラメータをリプレースするために使用されうる。
【００２２】
例えば、加入者データは、接続および位置登録手順において、ＨＳＳからＭＳＣ／ビジタ・ロケーション・レジスタ（ＶＬＲ）、ＳＧＳＮ、ＭＭＥへ送信され、ＩＭＳ登録においてサービス提供コール・セッション制御機能（Ｓ−ＣＳＣＦ）へ送信される。プロファイル識別子は、ネットワーク・ノード間での加入者データ転送において、固定加入者パラメータのすべてをメッセージ内に明示的に含めることを避けるために使用されうる。前述したチャイナ・モバイルの例に戻ると、１００未満の料金規定しかないということは、このオペレータにとって、５億人の加入者に対して１００未満の加入者プロファイルを定義することで十分であろうということを示唆する。
【００２３】
図３を参照して、プロファイル識別子を取り扱うための第１の解決策のためのコール・フロー図が示されている。プロファイル識別子は、加入者データ・リポジトリ３０８（例えば、ＨＬＲ／ＨＳＳ）に格納されている。システム３００はまた、モバイル・エンティティ３０２、基地局３０４、およびネットワーク管理エンティティ３０６（例えば、ＳＧＳＮ／ＭＭＥ）を含む。これらは、データ・リポジトリ３０８と、および、互いに通信している。３１０では、モバイル・エンティティ３０２が、基地局３０４へ登録要求を送信しうる。登録要求は、モバイル・エンティティのアイデンティティ（ＭＥ−ＩＤ）を含む。登録要求は、接続要求または位置登録要求等を備えうる。３１２では、基地局３０４が、登録要求をネットワーク管理エンティティ３０６へ転送する。ネットワーク管理エンティティ３０６は、３１４において、更新位置要求を、加入者データ・リポジトリ３０８へ送信しうる。関連する態様では、更新位置要求は、例えばＩＭＳＩ等のような加入者識別子を備えうる。
【００２４】
３１６では、加入者データ・リポジトリ３０８が、加入者データをネットワーク管理エンティティ３０６へ送信しうる。加入者データは、ＩＭＳＩ、プロファイル識別子、およびオプションとして、その他のパラメータを備えうる。３２０では、ネットワーク管理エンティティ３０６は、プロファイル識別子を認識していない場合、加入者データ・リポジトリ３０８からのプロファイル識別子を要求する。具体的には、３２２において、エンティティ管理エンティティ３０６が、要求プロファイル・メッセージを加入者データ・レポジトリ３０８へ送信しうる。３２４において、加入者データ・リポジトリ３０８は、（プロファイル・パラメータを含む）加入者データをネットワーク管理エンティティ３０６へ送信しうる。
【００２５】
ネットワーク管理エンティティ３０６は、プロファイル識別子に関連付けられたプロファイル・パラメータを決定するために、ルックアップ・テーブル等にアクセスしうる。そして、プロファイル・パラメータに少なくとも部分的に基づいて、モバイル・エンティティ３０２のための加入者サービスを許可するか否かを決定しうる。３３０において、ネットワーク管理エンティティ３０６は、（例えば、加入者サービスの許可または拒否のような）許可メッセージを含む登録応答を、基地局３０４へ送信しうる。３３２において、基地局３０４は、登録応答をモバイル・エンティティ３０２へ転送しうる。
【００２６】
図４を参照して、プロファイル識別子を取り扱うための第２の解決策のためのコール・フロー図が示される。プロファイル識別子は、ユニバーサル加入者アイデンティティ・モジュール（ＵＳＩＭ）等に格納され、（例えば、接続およびトラッキング・エリア更新（ＴＡＵ）／ルーティング・エリア更新（ＲＡＵ）／位置エリア更新（ＬＡＵ）手順において）ＭＥ−ＩＤ等とともに、モバイル・エンティティ４０２からネットワーク管理エンティティ４０６（例えば、ＳＧＳＮ／ＭＭＥ）へ送信されうる。更新位置要求を送信する場合、ネットワーク管理エンティティ４０６は、プロファイル識別子を認識しているか否かの情報を持っているので、図３の３２２および３２４は必要とされない。
【００２７】
続けて図４に示すように、４１０において、モバイル・エンティティ４０２が、登録要求をネットワーク管理エンティティ４０６へ送信しうる。更新位置要求は、ＭＥ−ＩＤおよびプロファイル識別子を備えうる。４１４では、ネットワーク管理エンティティ４０６が、加入者データ・リポジトリ４０８へ、（ＩＭＳＩ等とともに）更新位置要求を送信しうる。４１６では、加入者データ・リポジトリ４０８が、加入者データをネットワーク管理エンティティ４０６へ送信しうる。加入者データは、ＩＭＳＩを備えうる。また、オプションとして、プロファイル・パラメータを、および／またはオプションとして、その他のパラメータを備えうる。図示しないが、システム４００は、モバイル・エンティティ４０２とネットワーク管理エンティティ４０６との間でメッセージを中継する基地局を備えうる。システム４００のその他の機能および構成要素は、図３のシステム３００のものに類似している。
【００２８】
関連する態様では、加入者データ最適化技術は、ユーザ・データ・コンバージェンス（ＵＤＣ）アーキテクチャに追加されうる。これは２つの方式で実現されうる。第１に、プロファイル識別子の取り扱いを可能にする一般的なフレームワークを用いて、ＵＤＣクエリ手順が強化されうる。このクエリ手順は、ライトウェイト・ディレクトリ・アクセス・プロトコル（ＬＤＡＰ）等で実現されうる。第２に、データが動的部分および固定部分に分けられるように、ＵＤＣデータ・モデルが定義されうる。例えば、何れかのプロファイルが、加入者データ・リポジトリにおいて更新された場合、加入者データ・リポジトリは、例えばＳＧＳＮ、ＭＭＥ、ＭＳＣ／ＶＬＲ、Ｓ−ＣＳＣＦのような、インパクトを受けたネットワーク管理エンティティを更新するために、更新プロファイル・メッセージを送信しうる。
【００２９】
加入者データ・サイズおよび加入者データ転送メッセージの増加に伴い、加入者データ・ストレージ、処理、および配信を最適化する、加入者データのユーザ間重複特性を導入することが必要である。将来の「フラットな」ネットワーク・アーキテクチャでは、ＭＭＥ機能は、ｅＮＢへ統合されうる。ＴＡＵは、より頻繁に生じうるので、加入者データは、ネットワーク・ノード間でより頻繁に転送されるだろう。この最適化の利得は、将来のフラットなアーキテクチャ・ネットワークにおいて、より顕著となるであろう。この最適化は、Ｍ２Ｍ加入者データ共有要求に対する解決策としても機能しうる。
【００３０】
本明細書に記載された実施形態の１または複数の態様によれば、無線通信システムにおける加入者データ最適化のための方法が提供される。説明を単純にする目的で、これら方法は、一連の動作として示され説明されているが、これら方法は、１または複数の実施形態にしたがって、いくつかの動作が本明細書で示され記載されたものとは異なる順序で、あるいは他の動作と同時に生じうるので、動作の順序によって限定されないことが理解され認識されるべきである。例えば、当業者であれば、これら方法はこの代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００３１】
図５を参照して、加入者データ最適化システムにおけるプロファイル・パラメータ決定のための方法５００が例示される。方法５００は、例えばネットワーク管理エンティティ（例えば、サービス提供ＧＰＲＳサポート・ノード（ＳＧＳＮ）、モビリティ管理エンティティ（ＭＭＥ）、モバイル交換局（ＭＳＣ）／ビジタ・ロケーション・レジスタ（ＶＬＲ）、サービス提供コール・セッション制御機能（Ｓ−ＣＳＣＦ）等）のような無線通信システムのインフラストラクチャ・エンティティによって実行されうることが注目される。５１０では、モバイル・エンティティから、登録要求が受信される。更新位置要求は、モバイル・エンティティのアイデンティティ（ＭＥ−ＩＤ）を備える。５２０では、更新位置要求が、加入者データ・リポジトリ（例えば、ホーム・ロケーション・レジスタ（ＨＬＲ）および／またはホーム加入者サーバ（ＨＳＳ））へ送信される。５３０では、加入者データが、加入者データ・リポジトリから受信される。加入者データは、モバイル・エンティティの加入者データのプロファイル・パラメータに対応するプロファイル識別子を備える。５４０では、プロファイル識別子に関連付けられたプロファイル・パラメータを決定するために、ルックアップ・テーブルがアクセスされる。
【００３２】
図６に示すように、方法５００は、５５０において、ルックアップ・テーブル内のプロファイル識別子に関連付けられたどのプロファイル・パラメータも発見されないことに応じて、加入者データ・リポジトリからプロファイル・パラメータを要求することを含みうる。この方法５００は、５５２において、加入者データ・リポジトリからプロファイル・パラメータを受信することを含みうる。この方法５００は、５６０において、プロファイル・パラメータに少なくとも部分的に基づいて、加入者サービスを許可するか否かを判定することを含みうる。
【００３３】
本明細書に記載されたパラメータの１または複数の態様によれば、無線通信システムにおける加入者データ最適化のためのデバイスおよび装置が提供される。図７は、図５−６に関して前述されたようなプロファイル・パラメータ決定処理を実行するための装置のハードウェア実装を示す。この回路装置は、参照番号７００によって示され、例えばネットワーク管理エンティティのような無線通信インフラストラクチャ・エンティティ内に実装されうる。
【００３４】
装置７００は、いくつかの回路をともにリンクする中央データ・バス７０２を備える。回路は、中央処理装置（ＣＰＵ）またはコントローラ７０４、受信回路７０６、送信回路７０８、およびメモリ・ユニット７１０を含む。この装置７００は、（例えば、ＳＧＳＮまたはＭＭＥのような）通信デバイスとして、または、通信デバイス内で使用するためのプロセッサまたは類似のデバイスとして構成されうる。図示するように、装置７００は、プロセッサ、ソフトウェア、またはこれらの組み合わせ（例えば、ファームウェア）によって実現される機能を表しうる、メモリ・ユニット７１０内の機能ブロックを含みうる。
【００３５】
装置７００が無線デバイスの一部である場合、受信回路７０６および送信回路７０８は、図示されていないＲＦ（ラジオ周波数）回路に接続されうる。受信回路７０６は、受信した信号を、データ・バス７０２へ送信する前に、処理して、バッファする。一方、送信回路７０８は、データ・バス７０２からのデータを、デバイス７００へ送信する前に、処理して、バッファする。ＣＰＵ／コントローラ７０４は、データ・バス７０２のデータ管理機能を実行し、更には、メモリ・ユニット７１０の命令コンテンツを実行することを含む、一般的なデータ処理の機能を実行する。関連する態様では、送信回路７０８および受信回路７０６は、代替案として、図７に示されるように個別に示されるのではなく、ＣＰＵ／コントローラ７０４の一部でありうる。
【００３６】
メモリ・ユニット７１０は、参照番号７１２によって一般的に示されるモジュールおよび／または命令群のセットを含む。この実施形態では、モジュール／命令群は、とりわけ、プロファイル・パラメータ決定機能７１４を含む。プロファイル・パラメータ決定機能７１４は、図５−６に示され説明される処理を実行するためのコンピュータ命令群またはコードを含む。エンティティに特定の特有の命令群は、プロファイル・パラメータ決定機能７１４において選択的に実施されうる。例えば、装置７００が、例えばネットワーク管理エンティティのようなインフラストラクチャ・エンティティの一部である場合、その通信エンティティに特別な関連するメッセージを伴う処理ステップが、プロファイル・パラメータ決定機能７１４においてコード化されうる。
【００３７】
この実施形態では、メモリ・ユニット７１０は、ＲＡＭ（ランダム・アクセス・メモリ）回路である。例えばハンドオフ機能７１４のような典型的な機能は、ソフトウェア・ルーチン、モジュール、および／または、データ・セットである。メモリ・ユニット７１０は、揮発性タイプまたは不揮発性タイプのうちの何れかでありうる別のメモリ回路（図示せず）に接続されうる。代替案として、メモリ・ユニット７１０は、例えば、ＥＥＰＲＯＭ（電子的消去可能プログラマブル読取専用メモリ）、ＥＰＲＯＭ（電子的プログラマブル読取専用メモリ）、ＲＯＭ（読取専用メモリ）、ＡＳＩＣ（特定用途向け集積回路）、磁気ディスク、光ディスク、および、当該技術分野において周知であるその他のような他の回路タイプからなりうる。
【００３８】
図８に示すように、加入者データ最適化システムにおけるプロファイル・パラメータ決定のための別の方法８００が提供される。ここで、プロファイル識別子は、ユーザ識別モジュール（例えば、ＵＳＩＭ、ＳＩＭ、ＵＩＭ、またはソフトＳＩＭ）に格納され、モバイル・エンティティからネットワーク管理エンティティへ送信される。方法８００は、ネットワーク管理エンティティ等において実行されうることが注目される。８１０では、登録要求が、モバイル・エンティティから受信される。ここで、更新位置要求は、モバイル・エンティティのアイデンティティ（ＭＥ−ＩＤ）と、モバイル・エンティティの加入者サービスのプロファイル・パラメータに対応するプロファイル識別子とを備える。８２０では、更新位置要求が、加入者データ・リポジトリへ送られる。８３０では、加入者データが、加入者データ・リポジトリから受信される。８４０では、プロファイル識別子に関連付けられたプロファイル・パラメータを決定するために、ルックアップ・テーブルがアクセスされる。
【００３９】
図９に示すように、方法８００は、８５０において、ルックアップ・テーブル内のプロファイル識別子に関連付けられたどのプロファイル・パラメータも発見されないことに応じて、加入者データ・リポジトリからプロファイル・パラメータを要求することを含みうる。この方法８００は、８５２において、加入者データ・リポジトリからプロファイル・パラメータを受信することを含みうる。この方法８００は、８６０において、プロファイル・パラメータに少なくとも部分的に基づいて、加入者サービスを許可するかを決定することを含みうる。
【００４０】
本明細書に記載された実施形態のうちの１または複数の態様によれば、無線通信システムにおける加入者データ最適化のためのデバイスおよび装置が提供される。図１０は、図８−９に関して前述されたようなプロファイル・パラメータ決定処理を実行するための装置のハードウェア実装を示す。この回路装置は、参照番号１０００によって示され、例えばネットワーク管理エンティティのような無線通信インフラストラクチャ・エンティティ内に実装されうる。
【００４１】
装置１０００は、いくつかの回路をともにリンクする中央データ・バス１００２を備える。回路は、中央処理装置（ＣＰＵ）またはコントローラ１００４、受信回路１００６、送信回路１００８、およびメモリ・ユニット１０１０を含む。この装置１０００は、（例えば、ＳＧＳＮまたはＭＭＥのような）通信デバイスとして、または、通信デバイス内で使用するためのプロセッサまたは類似のデバイスとして構成されうる。図示するように、装置１０００は、プロセッサ、ソフトウェア、またはこれらの組み合わせ（例えば、ファームウェア）によって実現される機能を表しうる、メモリ・ユニット１０１０内の機能ブロックを含みうる。
【００４２】
メモリ・ユニット１０１０は、参照番号１０１２によって一般的に示されるモジュールおよび／または命令群のセットを含む。この実施形態では、モジュール／命令群は、とりわけ、プロファイル・パラメータ決定機能１０１４を含む。プロファイル・パラメータ決定機能１０１４は、図８−９に示され説明された処理を実行するためのコンピュータ命令群またはコードを含む。エンティティに特定の特有の命令群は、プロファイル・パラメータ決定機能１０１４において選択的に実施されうる。簡潔のために、装置１０００に関する詳細の残りは、これ以上詳しく述べない。しかしながら、装置１０００の残りの特徴および態様は、図７の装置７００に関して前述したものに実質的に類似していることが理解されるべきである。
【００４３】
本明細書に記載され、図１１を参照する実施形態の１または複数の態様にしたがって、加入者データ最適化システムにおけるプロファイル識別子共有のための方法１１００が例示されている。方法１１００は、モバイル・エンティティまたは類似のネットワーキング／通信デバイスによって実行されうることが注目される。１１１０では、登録要求が、ネットワーク管理エンティティ（例えば、ＳＧＳＮまたはＭＭＥ）へ送信される。ここで、更新位置要求は、モバイル・エンティティのアイデンティティ（ＭＥ−ＩＤ）と、モバイル・エンティティの加入者サービスのプロファイル・パラメータに対応するプロファイル識別子とを備える。１１２０では、プロファイル・パラメータに少なくとも部分的に基づいて、ネットワーク管理エンティティから許可メッセージが受信される。例えば、認可メッセージは、加入者サービスのための許可または拒否のうちの１つを備えうる。
【００４４】
本明細書に記載された実施形態の１または複数の態様によれば、無線通信システムにおける加入者データ最適化のためのデバイスおよび装置が提供される。図１２は、図１１に関して前述されたようなプロファイル識別子共有処理を実行するための装置のハードウェア実装を示す。この回路装置は、参照番号１２００によって示され、モバイル・エンティティ内に実装されうる。
【００４５】
装置１２００は、いくつかの回路をともにリンクする中央データ・バス１２０２を備える。回路は、中央処理装置（ＣＰＵ）またはコントローラ１２０４、受信回路１２０６、送信回路１２０８、およびメモリ・ユニット１２１０を含む。装置１２００が無線デバイスの一部である場合、受信回路１２０６および送信回路１２０８は、図示されていないＲＦ（ラジオ周波数）回路に接続されうる。メモリ・ユニット１２１０は、参照番号１２１２によって一般的に示されるモジュールおよび／または命令群のセットを含む。この実施形態では、モジュール／命令群は、とりわけ、プロファイル識別子共有機能１２１４を含む。
【００４６】
プロファイル識別子共有機能１２１４は、図１１に示され説明された処理を実行するためのコンピュータ命令群またはコードを含む。エンティティに特定の特有の命令群は、プロファイル識別子共有機能１２１４において選択的に実施されうる。簡潔のために、装置１２００に関する詳細の残りは、これ以上詳しく述べない。しかしながら、装置１２００の残りの特徴および態様は、図７の装置７００に関して前述したものに実質的に類似していることが理解されるべきである。
【００４７】
本明細書に記載され、図１３が参照された実施形態のうちの１または複数の態様によれば、加入者データ最適化システムにおける加入者データ共有のための方法１３００が例示される。方法１３００は、例えば加入者データ・リポジトリ（例えば、ＨＬＲおよび／またはＨＳＳ等）のようなインフラストラクチャ・エンティティによって実行されうることが注目される。１３１０では、更新位置要求が、ネットワーク管理エンティティ（例えば、ＳＧＳＮまたはＭＭＥ）から受信される。更新位置要求は、加入者識別子（例えば、ＩＭＳＩ等）を備える。１３２０では、加入者データが、ネットワーク管理エンティティに送信される。加入者データは、モバイル・エンティティの加入者サービスのプロファイル・パラメータに対応するプロファイル識別子を備える。加入者識別子、および（プロファイル・パラメータとは別の、または、補足の）その他のパラメータが、ネットワーク管理エンティティに送信されうる。
【００４８】
本明細書に記載された実施形態の１または複数の態様によれば、無線通信システムにおける加入者データ最適化のためのデバイスおよび装置が提供される。図１４は、図１３に関して前述されたような加入者データ共有処理を実行するための装置のハードウェア実装を示す。この回路装置は、参照番号１４００によって示され、例えばネットワーク管理エンティティのような無線通信インフラストラクチャ・エンティティ内に実装されうる。
【００４９】
装置１４００は、いくつかの回路をともにリンクする中央データ・バス１４０２を備える。回路は、中央処理装置（ＣＰＵ）またはコントローラ１４０４、受信回路１４０６、送信回路１４０８、およびメモリ・ユニット１４１０を含む。装置１４００が無線デバイスの一部である場合、受信回路１４０６および送信回路１４０８は、図示されていないＲＦ（ラジオ周波数）回路に接続されうる。メモリ・ユニット１４１０は、参照番号１４１２によって一般的に示されるモジュールおよび／または命令群のセットを含む。この実施形態では、モジュール／命令群は、とりわけ、加入者データ共有機能１４１４を含む。
【００５０】
加入者データ共有機能１４１４は、図１３に示され説明された処理を実行するためのコンピュータ命令群またはコードを含む。エンティティに特定の特有の命令群は、プロファイル識別子共有機能１４１４において選択的に実施されうる。簡潔のために、装置１４００に関する詳細の残りは、これ以上詳しく述べない。しかしながら、装置１４００の残りの特徴および態様は、図７の装置７００に関して前述したものに実質的に類似していることが理解されるべきである。
【００５１】
図７、図１０、図１２、および図１４に図示および記載されたような実装に加えて、説明されたような発明的な処理はまた、当該技術分野において周知の任意のコンピュータ読取可能な媒体で搬送されるコンピュータ読取可能な命令群として符号化されうることがさらに注目されるべきである。本明細書および添付の特許請求の範囲では、用語「コンピュータ読取可能な媒体」は、実行するために、例えば、図７、図１０、図１２、および図１４それぞれの図面に図示され説明されたＣＰＵ／コントローラ７０４，１００４，１２０４，１４０４のような任意のプロセッサに命令群を提供することに関連する任意の媒体を称する。このような媒体は、ストレージ・タイプからなり、例えば、図７、図１０、図１２、および図１４それぞれにおけるメモリ・ユニット７１０，１０１０，１２１０，１４１０の記載において既に説明されたような、揮発性または不揮発性の記憶媒体の形態をとりうる。このような媒体はまた、送信タイプからなり、同軸ケーブル、銅線、光ケーブル、さらには、マシンまたはコンピュータによって読取可能な信号を伝送することが可能な音響波、電磁波、光学波を伝送するエア・インタフェースを含みうる。コンピュータ読取可能な媒体は、図７、図１０、図１２、および図１４それぞれにおける装置７００，１０００，１２００，１４００とは別のコンピュータ製品の一部でありうる。
【００５２】
開示された処理におけるステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。同伴する方法請求項は、さまざまなステップの要素を、サンプル順で示しており、示された具体的な順序または階層に限定されないことが意味される。
【００５３】
当業者であれば、情報および信号は、さまざまな異なる技術および技法のうちの何れかを用いて表されうることを理解するであろう。例えば、前述された説明を通じて参照されうるデータ、命令群、コマンド、情報、信号、ビット、シンボル、およびチップは、電圧、電流、電磁波、磁場または磁性粒子、光学場または光学粒子、あるいはこれらの任意の組み合わせによって表現されうる。
【００５４】
当業者であればさらに、本明細書で開示された実施形態に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００５５】
本明細書で開示された実施形態に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または前述された機能を実現するために設計された上記何れかの組み合わせを用いて実現または実施されうる。汎用プロセッサは、マイクロ・プロセッサでありうるが、代わりに、従来技術によるプロセッサ、コントローラ、マイクロコントローラ、あるいは順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００５６】
１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体として適切に称される。同軸ケーブル、光ファイバ・ケーブル、ツイスト・ペア、ＤＳＬ、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようにディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、Ｂｌｕ−ｒａｙディスク（ｄｉｓｃ）を含む。ここで、ｄｉｓｋは通常、データを磁気的に再生し、ｄｉｓｃは、レーザを用いてデータを光学的に再生する。上記の組み合わせもまた、コンピュータ読取可能な媒体の範囲内に含まれるべきである。
【００５７】
開示された実施形態の上記記載は、当業者をして、本開示の製造または利用を可能とするように提供される。これら実施形態に対するさまざまな変形例もまた、当業者には明らかであって、本明細書で定義された一般的な原理は、本開示の主旨または範囲から逸脱することなく他の例にも適用されうる。このように、本開示は、本明細書で示された実施形態に限定されるものではなく、本明細書で開示された原理および新規な特徴に一致した最も広い範囲に相当することが意図されている。
【図１】
2013536607.tif 000005
【図２】
2013536607.tif 000006
【図３】
2013536607.tif 000007
【図４】
2013536607.tif 000008
【図５】
2013536607.tif 000009
【図６】
2013536607.tif 000010
【図７】
2013536607.tif 000011
【図８】
2013536607.tif 000012
【図９】
2013536607.tif 000013
【図１０】
2013536607.tif 000014
【図１１】
2013536607.tif 000015
【図１２】
2013536607.tif 000016
【図１３】
2013536607.tif 000017
【図１４】
2013536607.tif 000018
【国際調査報告】
2013536607.tif 000019
2013536607.tif 000020